【手続補正書】
【提出日】令和3年8月16日(2021.8.16)
【手続補正１】
【補正対象書類名】特許請求の範囲
【補正対象項目名】全文
【補正方法】変更
【補正の内容】
【特許請求の範囲】
【請求項１】
以下から構成されるプロップヘッドアセンブリ及び垂直の柱と利用のための装置:
端部を有する第一の梁構造アッセンブリ；
端部を有する第二の梁構造アッセンブリであって、第一の梁構造アッセンブリの該端部と第二の梁構造アッセンブリの該端部が、該プロップヘッドアセンブリの荷重を受ける機能に位置するように構成され；
第一のフレームアセンブリであって、それは、少なくとも一部分において、注いだコンクリート層（スキム層ともいう））を支持するように構成され、該第一のフレームアセンブリはカミング（面振れ、ともいう）面をもつ；及び
第二のフレームアセンブリであって、それは、少なくとも一部分において、該注いだコンクリート層を支持するように構成され、該第二のフレームアセンブリはカミング面をもち、第一のフレームアセンブリは、第一の梁構造アッセンブリ上でスライドでき、そして、に沿って移動できるような形で配置され、そして、第二のフレームアッセンブリは、第二の梁構造アッセンブリ上でスライドでき、そして、に沿って移動できるような形で配置され、その結果、該第一のフレームアッセンブリと該第二のフレームアッセンブリがお互いに隣接して配置され、該第一の梁構造アッセンブリは、該プロップヘッドアセンブリに対し回動的に（中心的にともいう：pivotally）動ける形で配置され、該第二の梁構造アッセンブリは、該プロップヘッドアセンブリに対し回動的に（中心的にともいう：pivotally）動ける形で配置され、
該プロップヘッドアセンブリに対しての、該第一の梁構造アッセンブリと該第二の梁構造アッセンブリの回動的な（中心的なともいう：pivotal）動きに応答して、該第一のフレームアッセンブリと第二のフレームアッセンブリは、各々、該第一の梁構造アッセンブリと該第二の梁構造アッセンブリの長さ（端から端までの長さ、ともいう）に対して及び沿ってスライドするように構成され、その結果、該第一のフレームアッセンブリの該カミング面と該第二のフレームアッセンブリの該カミング面が、お互い隣接し、隣接して配置された第一及び第二のフレームアッセンブリ間が最小間隔に設定され、実質的に、該隣接して配置された第一及び第二のフレームアッセンブリ間の注いだコンクリートの漏れを防ぐ、
装置。
【請求項２】
請求項１に記載の装置であって、ここで、該第一のフレームアッセンブリは、第一の梁アバットメント（迫持受け、ともいう）機構を有し、それは隙間を開けた直立したリブ（複数）の二重の列を含んでおり、そして、第一の梁構造アッセンブリは、該隙間を開けた直立したリブ（複数）の二重の列の各々の直立したリブの間に伸びる平らな直線部分を有する。
【請求項３】
請求項１に記載の装置であって、ここで、該第一のフレームアッセンブリは、該第一のフレームアッセンブリの下部（lowersection）に配置された第一のフレームアバットメント機構を有する。
【請求項４】
請求項2に記載の装置であって、ここで、該第一の梁構造アッセンブリは、第一の梁上部を含み、該第一の梁上部は、そこから上向きに伸びる第一の梁アバットメント機構を有する。
【請求項５】
以下を含む装置：
垂直に伸びる柱であって、それは作業面にしっかりと（fixedly）位置付けされるように配置されている；
プロップヘッドアッセンブリであって、それは、該垂直に伸びる柱にはり付けられる(affixed)ように配置され、該プロップヘッドアッセンブリは荷重を受ける機能を持ち；
第一の梁構造アッセンブリであって、それは、端部を有し、該プロップヘッドアッセンブリに対し回動的に（中心的にともいう：pivotally）動ける形で、設置され、
第二の梁構造アッセンブリであって、それは、端部を有し、該プロップヘッドアッセンブリに対し回動的に（中心的にともいう：pivotally）動ける形で、設置され、該第一の梁構造アッセンブリの該端部と第二の梁構造アッセンブリの該端部は、該プロップヘッドアッセンブリの該荷重を受ける機能上に位置付けられるように配置される；
第一のフレームアッセンブリであって、少なくとも一部分において、注がれたコンクリートの層を支持するように構成され、該第一のフレームアッセンブリはカミング面を持ち；そして、
第二のフレームアッセンブリであって、少なくとも一部分において、注がれたコンクリートの層を支持するように構成され、該第二のフレームアッセンブリはカミング面を持ち、該第一のフレームアッセンブリは、該第一の梁構造アッセンブリ上でスライド可能に位置づけされ、及び、に沿って移動可能であり、そして、該第二のフレームアッセンブリは、該第二の梁構造アッセンブリ上でスライド可能に位置づけされ、及び、に沿って移動可能であり、その結果、該第一のフレームアッセンブリと該第二のフレームアッセンブリがお互い隣接するように位置づけされる、
該プロップヘッドアセンブリに対しての、該第一の梁構造アッセンブリと該第二の梁構造アッセンブリの回動的な（中心的なともいう：pivotal）動きに応答して、該第一のフレームアッセンブリと該第二のフレームアッセンブリは、各々、該第一の梁構造アッセンブリと該第二の梁構造アッセンブリの長さに対して及び沿ってスライドするように構成され、その結果、該第一のフレームアッセンブリのカミング面と該第二のフレームアッセンブリのカミング面が、お互い隣接し、隣接して配置された第一及び第二のフレームアッセンブリ間が最小間隔に設定され、実質的に、該隣接して配置された第一及び第二のフレームアッセンブリ間の注いだコンクリートの漏れを防ぐ。
【請求項６】
第一の梁構造アッセンブリ、プロップヘッドアッセンブリ、及び垂直に伸びる柱との使用ための装置であって、該装置は、以下を含む：
第一のフレームアッセンブリであって、少なくとも一部分において、最初の注がれたコンクリートスラブを支持するように構成され、該第一のフレームアッセンブリは、該第一の梁構造アッセンブリ上にスライドするように位置づけされ、及び、に沿って移動可能であり、該第一のフレームアッセンブリは、第一のフレームアバットメント機構を持ち、該第一の梁構造アッセンブリは、プロプヘッドアッセンブリに対し回動的に（中心的にともいう：pivotally）動ける形で設置され、ここで、該第一のフレームアッセンブリは、該プロップヘッドアッセンブリに関して第一の梁構造アッセンブリの回動的（中心的にともいう：pivotally）動きに応答して、該第一の梁構造アッセンブリの長さに対して及び沿ってスライドするように構成され；そして、
第二のフレームアッセンブリであって、ここで、該第一及び第二のフレームアッセンブリの各々は側方部分を含み、それは、該プロップヘッドアッセンブリに関して、第一のフレームアッセンブリと第二のフレームアッセンブリの回動的（中心的にともいう：pivotally）動きに応答してお互い隣接するように構成され、該第一のフレームアッセンブリは、該第一のフレームアッセンブリの前記側方部分に沿って位置付けされた第一のカミング面を含み、該第二のフレームアッセンブリは、該第二のフレームアッセンブリの前記側方部分に沿って位置付けされた第二のカミング面を含み、ここで、フレームの端の溝が、該第一のカミング面と該第二のカミング面の間に形成され、そして、該フレームの端の溝のサイズは、幅を有している。